(57)【特許請求の範囲】
【請求項１】
側壁の一部に開口部を有し内底面に複数の固定接点を植設した上面開放の箱形のケースと、ケース内にスライド可能に収納され、上面にロッド収納部を有すると共にスライド方向の両端部にばね当接部を有する摺動体と、摺動体のスライド方向と直交するプッシュ方向に移動可能に上記ロッド収納部に収納され、一端に上記ケースの開口部から突出する操作部を有すると共に他端に押圧部を有するロッドと、ロッド後方に移動可能に配置され前面が上記ロッドの押圧部に当接した押圧体と、上記摺動体またはロッドの少なくとも一方の下面に装着され上記固定接点と接離する弾性金属薄板製の接触片と、略Ｌ字状で根元部が上記ケースまたはカバー端部のばね保持部に保持され、第１のアーム部が上記摺動体のばね当接部及びケースまたはカバーのアーム受部に同時に当接すると共に、第２のアーム部が上記押圧体の後面に各々当接した二つのばねと、上記ケースの上面を覆うカバーからなるプッシュ機構付スライドスイッチ。
【請求項２】
二つのばねの第２のアーム部先端をロッドの後端面に当接させて、押圧体を省いた請求項１記載のプッシュ機構付スライドスイッチ。
【請求項３】
ばねの第１のアーム部の先端に折曲部を設け、この折曲部を摺動体のばね当接部に当接させた請求項１または２記載のプッシュ機構付スライドスイッチ。
【請求項４】
ケース内底面の開口部側に第１の固定接点を、ケース内底面の中央部に第２の固定接点を各々摺動体のスライド方向と平行に植設すると共に、上記第１の固定接点上方のロッド下面のみに接触片を装着した請求項１〜３のいずれか一つに記載のプッシュ機構付スライドスイッチ。
【請求項５】
ロッドに突部を設けると共に、ロッドを押圧した際にこの突部が案内挿入される凹部をカバーまたはケースの所定の位置に設けた請求項１〜４のいずれか一つに記載のプッシュ機構付スライドスイッチ。
【請求項６】
摺動体の後端部に、摺動体のスライド動作によってばねの第１のアーム部の中間部が当接するばね押圧部を設けた請求項１〜５のいずれか一つに記載のプッシュ機構付スライドスイッチ。
【請求項７】
略Ｌ字状の二つのばねの根元部を摺動体の両端部に設けたばね保持部に保持し、第１のアーム部を摺動体の両端に設けたアーム受部及びケースまたはカバーに設けたばね当接部にも同時に当接させた請求項１〜６のいずれか一つに記載のプッシュ機構付スライドスイッチ。
【請求項８】
略Ｌ字状の二つのばねの第２のアーム部先端どうしを連結した一体形状とし、これをスイッチに組込んだ後、ロッドのプッシュ操作によって連結部を分割する請求項１〜７のいずれか一つに記載のプッシュ機構付スライドスイッチの組立て方法。
【発明の詳細な説明】
【０００１】
【発明の属する技術分野】
本発明は各種電子機器に使用されるプッシュ機構付スライドスイッチ及びその組立て方法に関するものである。
【０００２】
【従来の技術】
プッシュ機構付スライドスイッチは、図１５の外観斜視図に示すように、箱形のケース１の一方の側壁から突出した操作部５Ａを、中立位置から左右方向へ摺動させるスライド操作に加え、このスライド方向と直交するプッシュ方向にも操作可能なスイッチであり、スライド操作及びプッシュ操作によって各々のスイッチ接点の電気的接離を行うと共に、各方向へ操作した後に操作部５Ａに加えた操作力を除くと、元の中立位置に自動復帰する機能を備えた多方向操作形のスイッチであり、このような従来のプッシュ機構付スライドスイッチについて、図１６〜図１８を用いて説明する。
【０００３】
図１６は従来のプッシュ機構付スライドスイッチのカバーを除いた平面図、図１７は同分解斜視図であり、同図において、１は側壁の一部に開口部１Ａを有した上面開放の箱形のケースで、内底面の中央部に第１の固定接点２Ａ，２Ｂ，２Ｃが、開口部１Ａ側に第２の固定接点３Ａ，３Ｂが各々開口部１Ａと平行に植設されており、４はケース１内にスライド可能に収納され、上面にロッド収納部４Ａを有する摺動体で、ケース１の内側壁には左右に凹部１Ｂと１Ｃが、内底面には突起部１Ｄと１Ｅが設けられ、摺動体４の後方下面にはケース１の突起部１Ｄ，１Ｅよりもやや幅広の中央の溝４Ｂとさらに幅広の両端の溝４Ｃが設けられている。
【０００４】
５は摺動体４のスライド方向と直交するプッシュ方向に移動可能に摺動体４のロッド収納部４Ａに収納されたロッドで、一端にケース１の開口部１Ａから突出する操作部５Ａを、他端にばね押圧部５Ｂを有している。
【０００５】
６は摺動体４の下面に装着され第１の固定接点２Ａ，２Ｂ，２Ｃと接離する弾性金属薄板製の第１の接触片、７はロッド５の下面に装着され第２の固定接点３Ａ，３Ｂと接離する弾性金属薄板製の第２の接触片である。
【０００６】
８はスライド操作用のコイルばねで、左端がケース１の凹部１Ｂに、右端が突起部１Ｄ及び摺動体４の溝４Ｂの左側面に同時に当接しやや撓んだ状態で装着され、９は同じくスライド操作用のコイルばねで、右端が凹部１Ｃに、左端が突起部１Ｅ及び溝４Ｂの右側面に同時に当接しやや撓んだ状態で装着されている。
【０００７】
１０はプッシュ操作用のコイルばねで、一端がロッド５のばね押圧部５Ｂに他端が摺動体４のロッド収納部４Ａの内側壁の凸部４Ｄに当接しやや撓んだ状態で装着されている。１１はケース１の上面を覆うカバーである。
【０００８】
上記構成において、ケース１から突出したロッド５の操作部５Ａを、図１６の中立位置から図１８（ａ）に示すように右方向へスライド操作すると、ロッド５を収納した摺動体４が右方向へスライドするため、摺動体４の下面に装着された第１の接触片６が第１の固定接点上を弾接摺動し、第１の接触片６を介して第１の固定接点２Ｂと２Ｃとが電気的に導通する。
【０００９】
この時、摺動体４の下面中央の溝４Ｂの左側面はコイルばね８から離れ、溝４Ｂの右側面がコイルばね９を押圧して撓ませるため、操作部５Ａの操作力を解除すると、コイルばね９の弾性復帰力によって摺動体４とこれに収納されたロッド５が図１６の中立位置に復帰し、第１の接触片６も第１の固定接点２Ｃから離れ電気的にＯＦＦとなる。
【００１０】
これとは逆に、操作部５Ａを図１６の中立位置から左方向へスライド操作する場合には、摺動体４の溝４Ｂの右側面がコイルばね９から離れ、溝４Ｂの左側面がコイルばね８を押圧して撓ませながら摺動体４が左方向へスライドするため、第１の接触片６を介して第１の固定接点２Ａと２Ｂが電気的に導通し、操作部５Ａの操作力を解除すると、コイルばね８の弾性復帰力によって摺動体４及びロッド５が図１６の中立位置に復帰する。
【００１１】
また、操作部５Ａを図１６の中立位置からスライド方向と直交するプッシュ方向に押圧操作すると、図１８（ｂ）に示すように、ロッド５がばね押圧部５Ｂによってコイルばね１０を撓ませながら摺動体４のロッド収納部４Ａ内を後方へ移動するため、ロッド５の下面に装着された第２の接触片７がケース１の内底面上を弾接摺動して、第２の固定接点３Ａと３Ｂを電気的に導通させ、操作部５Ａの操作力を解除すると、コイルばね１０の弾性復帰力によってロッド５が図１６の押圧前の位置に復帰し、第２の接触片７も第２の固定接点３Ａと３Ｂから離れて電気的にＯＦＦとなる。
【００１２】
なお、プッシュ方向の操作については、図１８（ｃ）に示すように操作部５Ａが中立位置ではなく右方向へスライド操作され第１の固定接点２Ｂと２Ｃとが電気的に導通した状態からでも、操作部５Ａを押圧すれば、第２の接触片７を介した第２の固定接点３Ａと３Ｂの電気的導通を行うことができる。
【００１３】
【発明が解決しようとする課題】
しかしながら上記従来のプッシュ機構付スライドスイッチにおいては、スライド操作或いはプッシュ操作を行った後、操作部５Ａを元の中立位置に自動復帰させるために、コイルばね８，９や１０が各々別個に必要となるため、スイッチを構成する部品数が多くなると共に、この三つのばねをケース１や摺動体４に各々装着する際にばね外れが生じ易いため、スイッチの組立て作業が困難で時間を要しコスト高になるという課題があった。
【００１４】
本発明はこのような従来の課題を解決するものであり、ばねの使用数が少なくスイッチの組立て作業が容易で、安価なプッシュ機構付スライドスイッチを提供することを目的とするものである。
【００１５】
【課題を解決するための手段】
上記課題を解決するために本発明のプッシュ機構付スライドスイッチは、略Ｌ字状で根元部がケース端部のばね保持部に保持された二つのばねの、第１のアーム部を摺動体のばね当接部及びケースまたはカバーのアーム受部に同時に当接させると共に、第２のアーム部をロッド後方に配置された押圧体の後面に各々当接させ、この二つのばねによってスライド及びプッシュ操作時に操作部を中立位置に自動復帰させるように構成したものである。
【００１６】
この本発明により、ばねの使用数が少なくスイッチの組立て作業が容易で、安価なプッシュ機構付スライドスイッチを得ることができる。
【００１７】
【発明の実施の形態】
本発明の請求項１に記載の発明は、側壁の一部に開口部を有し内底面に複数の固定接点を植設した上面開放の箱形のケースと、ケース内にスライド可能に収納され、上面にロッド収納部を有すると共にスライド方向の両端部にばね当接部を有する摺動体と、摺動体のスライド方向と直交するプッシュ方向に移動可能に上記ロッド収納部に収納され、一端に上記ケースの開口部から突出する操作部を有すると共に他端に押圧部を有するロッドと、ロッド後方に移動可能に配置され前面が上記ロッドの押圧部に当接した押圧体と、上記摺動体またはロッドの少なくとも一方の下面に装着され上記固定接点と接離する弾性金属薄板製の接触片と、略Ｌ字状で根元部が上記ケースまたはカバー端部のばね保持部に保持され、第１のアーム部が上記摺動体のばね当接部及びケースまたはカバーのアーム受部に同時に当接すると共に、第２のアーム部が上記押圧体の後面に各々当接した二つのばねと、上記ケースの上面を覆うカバーからなるプッシュ機構付スライドスイッチとしたものであり、略Ｌ字状の二つのばねによってスライド操作及びプッシュ操作時に操作部を自動復帰させるように構成されているため、ばねが二つですむと共にその位置決めを確実に行うことができ、スイッチの組立て作業が容易で、安価なプッシュ機構付スライドスイッチを得ることができるという作用を有する。
【００１８】
請求項２に記載の発明は、請求項１の発明において、二つのばねの第２のアーム部先端をロッドの後端面に当接させて、押圧体を省いたものであり、押圧体が不要となるため構成部品を少なくできると共に、スイッチの組立て作業も容易となって、より安価なものとすることができるという作用を有する。
【００１９】
請求項３に記載の発明は、請求項１または２記載の発明において、ばねの第１のアーム部の先端に折曲部を設け、この折曲部を摺動体のばね当接部に当接させたものであり、ばねの第１のアーム部先端の折曲部全体が摺動体のばね当接部に当接しているため、ばねと摺動体との当接箇所が広くなり、スライド操作時に摺動体が確実にばねを撓ませることができると共に、スイッチ組立ての際にもこの折曲部によって摺動体に確実に当接させてばねを組立てることができるため、摺動体からのばねの外れを防止できるという作用を有する。
【００２０】
請求項４に記載の発明は、請求項１〜３のいずれか一つに記載の発明において、ケース内底面の開口部側に第１の固定接点を、ケース内底面の中央部に第２の固定接点を各々摺動体のスライド方向と平行に植設すると共に、上記第１の固定接点上方のロッド下面のみに接触片を装着したものであり、摺動体には接触片の装着が不要となり、ロッド下面に装着した接触片のみによって、第１の固定接点及び第２の固定接点の電気的接離を行うことができるため、少ない構成部品で複数の固定接点を切り替えることができると共に、スイッチ組立て作業時に変形の生じ易い接触片が一つですむため、スイッチ組立て作業性の向上を図ることができるという作用を有する。
【００２１】
請求項５に記載の発明は、請求項１〜４のいずれか一つに記載の発明において、ロッドに突部を設けると共に、ロッドを押圧した際にこの突部が案内挿入される凹部をカバーまたはケースの所定の位置に設けたものであり、カバーまたはケースに凹部を設けた位置のみでロッドのプッシュ操作が可能となるように構成できるため、スイッチを使用する条件に合わせてロッドの押圧位置を任意に選択できると共に、スライド操作の際に誤ってプッシュ操作を行うという誤操作も防止できるという作用を有する。
【００２２】
請求項６に記載の発明は、請求項１〜５のいずれか一つに記載の発明において、摺動体の後端部に、摺動体のスライド動作によってばねの第１のアーム部の中間部が当接するばね押圧部を設けたものであり、摺動体とばねの第１のアーム部との当接位置が、スライド操作の途中で第１のアーム部の先端部から中間部に変化するため、スライド操作時の操作力が途中で変化するスイッチの操作感触を得ることができるという作用を有する。
【００２３】
請求項７に記載の発明は、請求項１〜６のいずれか一つに記載の発明において、略Ｌ字状の二つのばねの根元部を摺動体の両端部に設けたばね保持部に保持し、第１のアーム部を摺動体の両端に設けたアーム受部及びケースまたはカバーに設けたばね当接部にも同時に当接させたものであり、ばねを摺動体に保持することによって、ケースの両端にばね保持部を設ける場合に比べて奥行き寸法を小さくすることができるため、スイッチ全体の小形化が図れると共に、ばねを摺動体に保持して部品をユニット化することができるため、ケースへの二つのばねや摺動体の組込み作業が容易となり、作業の簡易化が図れるという作用を有する。
【００２４】
請求項８に記載の発明は、請求項１〜７のいずれか一つに記載の発明において、略Ｌ字状の二つのばねの第２のアーム部先端を連結した一体形状とし、これをスイッチに組込んだ後ロッドのプッシュ操作によって連結部を分割するプッシュ機構付スライドスイッチの組立て方法としたものであり、一体形状に連結したばねをスイッチに組込んだ後、これを二つのばねに分割するように構成されているため、構成部品を少なくすることができると共に、スイッチ組立て時にばねを一つの部品として簡易に取扱えるため組立て作業性の向上を図ることができるという作用を有する。
【００２５】
以下、本発明の実施の形態について、図１〜図１４を用いて説明する。
なお、従来の技術の項で説明した構成と同一構成の部分には同一符号を付し、その詳細な説明を省略する。
【００２６】
（実施の形態１）
図１は本発明の第１の実施の形態によるプッシュ機構付スライドスイッチのカバーを除いた平面図、図２は同分解斜視図であり、同図において、側壁の一部に開口部１５Ａを有し内底面に第１の固定接点２Ａ，２Ｂ，２Ｃと第にの固定接点３Ａ，３Ｂを植設したケース１５内に、下面に第１の接触片６を装着した摺動体１６がスライド可能に収納されると共に、ケース１５の開口部１５Ａから外方に突出する操作部１７Ａを有し下面に第２の接触片７を装着したロッド１７が、ロッド収納部１６Ａに摺動体１６のスライド方向と直交するプッシュ方向に移動可能に収納されていることは従来の技術と同様であるが、ロッド１７の後端部には押圧部１７Ｂが設けられている。
【００２７】
そして、ケース１５の内底面には左右端部に円柱状のばね保持部１５Ｂ，１５Ｃと、この中間部に収納溝１５Ｄが設けられ、この収納溝１５Ｄには前面をロッド１７の押圧部１７Ｂに当接させた押圧体１８が、プッシュ方向に移動可能に収納されている。
【００２８】
また、略Ｌ字状のばね１９と２０の根元部１９Ａと２０Ａがケース１５のばね保持部１５Ｂと１５Ｃに保持され、第１のアーム部１９Ｂと２０Ｂ先端の折曲部１９Ｃと２０Ｃが摺動体１６の左右の側面に設けたばね当接部１６Ｂと１６Ｃに、中間部がカバー１１に設けた左右のアーム受部１１Ａと１１Ｂに各々同時に当接すると共に、第２のアーム部１９Ｄと２０Ｄが押圧体１８後面端部のばね押圧部１８Ａと１８Ｂに当接している。
【００２９】
上記構成において、ケース１５の開口部１５Ａから突出したロッド１７の操作部１７Ａを、図１の中立位置から図３（ａ）に示すように右方向へスライド操作すると、ロッド１７をロッド収納部１６Ａに収納した摺動体１６が右方向へ移動するため、摺動体１６の下面に装着された第１の接触片６が第１の固定接点上を弾接摺動し、第１の接触片６を介して第１の固定接点２Ｂと２Ｃが電気的に導通することは従来の技術と同様であるが、この時摺動体１６の右方向への移動に伴って、ばね１９の折曲部１９Ｃはばね当接部１６Ｂから離れ、第１のアーム部１９Ｂの中間部がアーム受部１１Ａにのみ当接し、一方、ばね２０の第１のアーム部２０Ｂの中間部はアーム受部１１Ｂから離れ、折曲部２０Ｃがばね当接部１６Ｃに押圧されて第１のアーム部２０Ｂが撓められていく。
【００３０】
そして、操作部１７Ａの操作力を解除すると、摺動体１６のばね当接部１６Ｃによって撓められたばね２０の第１のアーム部２０Ｂの弾性復帰力によって、摺動体１６とこれに収納されたロッド１７が押し戻されて、図１の中立位置に復帰する。
【００３１】
これとは逆に、操作部１７Ａを図１の中立位置から左方向へスライド操作した場合には、ばね２０の折曲部２０Ｃはばね当接部１６Ｃから離れ、第１のアーム部２０Ｂの中間部がアーム受部１１Ｂにのみ当接し、一方、ばね１９の第１のアーム部１９Ｂの中間部はアーム受部１１Ａから離れ、折曲部１９Ｃがばね当接部１６Ｂに押圧されて第１のアーム部１９Ｂが撓められていき、操作部１７Ａの操作力を解除すると、摺動体１６のばね当接部１６Ｂによって撓められたばね１９の第１のアーム部１９Ｂの弾性復帰力によって、摺動体１６とロッド１７が図１の中立位置に復帰する。
【００３２】
また、操作部１７Ａを図１の中立位置からプッシュ操作すると、図３（ｂ）に示すように、ロッド１７が後端部の押圧部１７Ｂによって押圧体１８の前面を押圧し、ばね押圧部１８Ａと１８Ｂによってばね１９と２０の第２のアーム部１９Ｄと２０Ｄを撓ませながらロッド収納部１６Ａ内を後方へ移動するため、ロッド１７の下面に装着された第２の接触片７が第２の固定接点３Ａと３Ｂを電気的に導通させ、操作部１７Ａの操作力を解除すると、ばね押圧部１８Ａと１８Ｂによって撓められたばね１９と２０の第２のアーム部１９Ｄと２０Ｄの弾性復帰力によって、押圧体１８に押圧部１７Ｂを押圧されたロッド１７の操作部１７Ａが図１の押圧前の位置に復帰する。
【００３３】
なお、プッシュ方向の操作については、図３（ｃ）に示すように、操作部１７Ａが中立位置ではなく、右方向へスライド操作されて第１の接触片６を介して第１の固定接点２Ｂと２Ｃとが電気的に導通した状態からでも、操作部１７Ａを押圧すれば、第２の接触片７を介して第２の固定接点３Ａと３Ｂの電気的導通が行われることは、従来の技術と同様である。
【００３４】
このように本実施の形態によれば、略Ｌ字状で根元部１９Ａと２０Ａがケース１５端部のばね保持部１５Ｂと１５Ｃに保持されたばね１９と２０の、第１のアーム部１９Ｂと２０Ｂ先端を摺動体１６のばね当接部１６Ｂと１６Ｃに、中間部をカバー１１のアーム受部１１Ａと１１Ｂに各々同時に当接すると共に、第２のアーム部１９Ｄと２０Ｄを押圧体１８のばね押圧部１８Ａと１８Ｂに当接させ、この二つのばね１９と２０によってスライド及びプッシュ操作時に操作部を自動復帰させるように構成されているため、使用するばねの数が二つですみ、また摺動体１６を収納したケース１５に上方からやや撓めたばね１９と２０を組込んでスイッチの組立てを行うことができるため、スイッチの組立て作業が容易で、安価なプッシュ機構付スライドスイッチを得ることができる。
【００３５】
また、ばね１９と２０の第１のアーム部１９Ｂと２０Ｂの先端に折曲部１９Ｃと２０Ｃを設け、この折曲部１９Ｃと２０Ｃ全体を摺動体１６の両端に設けたばね当接部１６Ｂと１６Ｃに当接させているため、折曲部１９Ｃと２０Ｃ全体がばね当接部１６Ｂと１６Ｃに当接し、ばね１９，２０と摺動体１６との当接箇所が広くなり、スライド操作時に摺動体１６が確実にばね１９と２０の第１のアーム部１９Ｂと２０Ｂを撓ませることができるとともに、スイッチ組立ての際にも、この折曲部１９Ｃと２０Ｃによって摺動体１６のばね当接部１６Ｂと１６Ｃに確実に当接させてばね１９と２０を組立てることができるため、摺動体１６からのばね１９と２０の外れを防止することができる。
【００３６】
さらに、ばね１９と２０の第２のアーム部１９Ｄと２０Ｄ先端をロッド１７後端面に当接させて、押圧体１８を省くことによって、押圧体１８が不要となるため構成部品を少なくできるとともに、スイッチの組立て作業も容易となって、より安価なものとすることができる。
【００３７】
なお、上記の説明では、略Ｌ字状のばね１９と２０の根元部１９Ａと２０Ａをケース１５の円柱状のばね保持部１５Ｂと１５Ｃに保持する構成としたが、図４に示すように、カバー１１の左右端部に突起状のばね保持部１１Ｃと１１Ｄを設け、これにばね１９と２０の根元部１９Ａと２０Ａを保持する構成としても同様の効果を得ることができる。
【００３８】
（実施の形態２）
図５は本発明の第２の実施の形態によるプッシュ機構付スライドスイッチのカバーを除いた平面図であり、同図において、ケース１５内に収納された摺動体１６のロッド収納部１６Ａにロッド１７が収納され、ばね１９と２０の根元部１９Ａと２０Ａがケース１５のばね保持部１５Ｂと１５Ｃに保持され、第１のアーム部１９Ｂと２０Ｂが摺動体１６のばね当接部１６Ｂと１６Ｃ及びカバー１１のアーム受部１１Ａと１１Ｂに同時に当接すると共に、第２のアーム部１９Ｄと２０Ｄが押圧体１８のばね押圧部１８Ａと１８Ｂに各々当接していることは実施の形態１と同様であるが、第１の固定接点２Ａ，２Ｂ，２Ｃがケース１５内底面の開口部１５Ａ側に、第２の固定接点３Ａ，３Ｂがケース１５内底面の中央部に各々摺動体１６のスライド方向と平行に植設され、また、第２の接触片７が第１の固定接点２Ｂに弾接してロッド１７の下面に装着されている。
【００３９】
上記構成において、ケース１５の開口部１５Ａから突出したロッド１７の操作部１７Ａを、図５（ａ）の中立位置から図５（ｂ）に示すように右方向にスライド操作すると、ロッド１７をロッド収納部１６Ａに収納した摺動体１６が右方向へスライドし、ばね２０の第１のアーム部２０Ｂが摺動体１６のばね当接部１６Ｃに押圧されて撓められることは実施の形態１と同様であるが、ロッド１７のスライド動作に伴ってこの下面に装着された第２の接触片７が、ケース１内底面の開口部１５Ａ側に植設された第１の固定接点上を弾接摺動することによって、第２の接触片７を介して第１の固定接点２Ｂと２Ｃの電気的導通が行われ、操作部１７Ａの操作力を解除すると、ばね２０の第１のアーム部２０Ｂの弾性復帰力によって、摺動体１６とこれに収納されたロッド１７が図５（ａ）の中立位置に復帰する。
【００４０】
これとは逆に、操作部１７Ａを図５（ａ）の中立位置から左方向へスライド操作させた場合には、ばね当接部１６Ｂによってばね１９の第１のアーム部１９Ｂが撓められ、ロッド１７の下面に装着された第２の接触片７を介して第１の固定接点２Ａと２Ｂの電気的導通が行われる。
【００４１】
また、操作部１７Ａを図５（ａ）の中立位置からプッシュ操作すると、図５（ｃ）に示すように、ロッド１７の押圧部１７Ｂが押圧体１８を押圧し、押圧体１８のばね押圧部１８Ａと１８Ｂがばね１９と２０の第２のアーム部１９Ｄと２０Ｄを撓ませながら、ロッド１７がロッド収納部１６Ａ内を後方へ移動するため、ロッド１７の下面に装着された第２の接触片７がケース１５の内底面を後方へ移動し、第１の固定接点２Ｂから離れてケース１５の内底面の中央部に植設された第２の固定接点３Ａと３Ｂと接触してこれを電気的に導通させ、操作部１７Ａの操作力を解除すると、ばね１９と２０の第２のアーム部１９Ｄと２０Ｄの弾性復帰力によって操作部１７Ａが図５（ａ）の押圧前の位置に復帰する。
【００４２】
なお、図５（ｄ）に示すように、操作部１７Ａが右方向にスライド操作された状態からでも、操作部１７Ａを押圧すれば、第２の接触片７を介して第２の固定接点３Ａと３Ｂの電気的導通が行われることは実施の形態１と同様である。
【００４３】
このように本実施の形態によれば、ケース１５内底面の開口部１５Ａ側に第１の固定接点２Ａ，２Ｂ，２Ｃを、ケース１５内底面の中央部に第２の固定接点３Ａ，３Ｂを各々摺動体１６のスライド方向と平行に植設することによって、摺動体１６には接触片の装着が不要となり、ロッド１７の下面に装着した第２の接触片７のみによって、第１の固定接点２Ａ，２Ｂ，２Ｃ及び第２の固定接点３Ａ，３Ｂの電気的接離を行うことができるため、少ない構成部品で複数の固定接点を切り替えることができると共に、スイッチの構成も簡素なものとなり、また、スイッチ組立て作業時に変形の生じ易い接触片が一つですむため、スイッチの組立て作業性の向上を図ることができる。
【００４４】
（実施の形態３）
図６は本発明の第３の実施の形態によるプッシュ機構付スライドスイッチのカバーとロッドの斜視図であり、同図において、ロッド１７の操作部１７Ａの上面には突部１７Ｃが設けられ、カバー１１の端面中央部にはこの突部１７Ｃよりもやや幅広の切欠き部１１Ｅが設けられている。
【００４５】
上記構成のカバー１１とロッド１７をスイッチとして組立て、ケース１５の開口部１５Ａから突出するロッド１７の操作部１７Ａを操作した場合、中立位置から左右方向へのスライド操作については実施の形態１や２と同様であるが、このスライド方向と直交するプッシュ方向の操作については、中立位置では操作部１７Ａを押圧するとロッド１７の移動に伴って突部１７Ｃがカバー１１の切欠き部１１Ｅに案内挿入されるため、プッシュ操作が可能であるが、中立位置以外の左右いずれかに操作部１７Ａをスライド操作した位置では、操作部１７Ａを押圧しても突部１７Ｃがカバー１１の端面に当たるため、操作部１７Ａを操作できない構成となっている。
【００４６】
また、図７と図８は本実施の形態による他の方法のロッドとケースの斜視図であり、図７においては、ロッド１７の操作部１７Ａの下面に突部１７Ｄが、ケース１５の開口部１５Ａの中央部に切欠き部１５Ｅが各々設けられ、図８においては、ロッド１７の後方に突部１７Ｅが、ケース１５の開口部１５Ａの対向面側に凹部１５Ｆが各々設けられており、図６で説明したものと同様に、中立位置以外ではプッシュ方向に操作できない構成となっている。
【００４７】
なお、上記の説明では、ロッド１７の中心に各々突部１７Ｃ，１７Ｄまたは１７Ｅを設け、カバー１１またはケース１５の中央部にこの突部１７Ｃ，１７Ｄまたは１７Ｅが挿入される切欠き部１１Ｅ，１５Ｅや凹部１５Ｆを設けることで、中立位置位外ではプッシュ方向に操作できない構成としたが、切欠き部１１Ｅ，１５Ｅや凹部１５Ｆを任意の位置に設けることによって、中立位置以外の任意の位置でのみプッシュ方向に操作できる構成とすることができる。
【００４８】
このように本実施の形態によれば、ロッド１７に突部１７Ｃ，１７Ｄまたは１７Ｅを設けると共に、ロッド１７を押圧した際にこの突部１７Ｃ，１７Ｄまたは１７Ｅが挿入される切欠き部１１Ｅ，１５Ｅや凹部１５Ｆをカバー１１またはケース１５の所定の位置に設けることにより、カバー１１またはケース１５に切欠き部１１Ｅ，１５Ｅや凹部１５Ｆを設けた位置のみでロッド１７のプッシュ操作が可能となるように構成できるため、スイッチを使用する条件に合わせてロッド１７の押圧位置が任意に選択できると共に、スライド操作の際に誤ってプッシュ操作を行うといった誤動作も防止することができる。
【００４９】
（実施の形態４）
図９は本発明の第４の実施の形態によるプッシュ機構付スライドスイッチの摺動体の斜視図、図１０は同カバーを除いた平面図であり、同図において、ケース１５内に収納された摺動体１６のロッド収納部１６Ａにロッド１７が収納され、ばね１９と２０の根元部１９Ａと２０Ａがケース１５のばね保持部１５Ｂと１５Ｃに保持され、第１のアーム部１９Ｂと２０Ｂが摺動体１６のばね当接部１６Ｂと１６Ｃ及びカバー１１のアーム受部１１Ａと１１Ｂに同時に当接すると共に、第２のアーム部１９Ｄと２０Ｄが押圧体１８のばね押圧部１８Ａと１８Ｂに各々当接していることは実施の形態２と同様であるが、ケース１５内にスライド可能に収納された摺動体１６の後端部には、左右にばね押圧部１６Ｄと１６Ｅが設けられている。
【００５０】
上記構成において、ケース１５の開口部１５Ａから突出した操作部１７Ａを図１０（ａ）の中立位置から右方向へスライド操作すると、摺動体１６が図１０（ｂ）に示す位置に移動するまでの間は、摺動体１６のばね当接部１６Ｃがばね２０の第１のアーム部２０Ｂ先端の折曲部２０Ｃを押圧して、第１のアーム部２０Ｂを撓ませるが、さらに操作部１７Ａを右方向へスライド操作すると、図１０（ｃ）に示すように、摺動体１６後端部のばね押圧部１６Ｅが第１のアーム部２０Ｂの中間部に当接しこれを押圧するため、先端の折曲部２０Ｃは摺動体１６のばね当接部１６Ｃから離れ、ばね押圧部１６Ｅによって第１のアーム部２０Ｂが撓められる。
【００５１】
このため、操作部１７Ａをスライド操作する操作力は、摺動体１６のばね当接部１６Ｃがばね２０の第１のアーム部２０Ｂ先端の折曲部２０Ｃから離れ、ばね押圧部１６Ｅが第１のアーム部２０Ｂの中間部を押圧する図１０（ｂ）から図１０（ｃ）までの間の位置で急に大きく変化する。
【００５２】
そして、操作部１７Ａの操作力を解除すると、ばね２０の第１のアーム部２０Ｂの弾性復帰力によって、摺動体１６とこれに収納されたロッド１７が図１０（ａ）の中立位置に復帰するが、この時摺動体１６は、図１０（ｃ）から図１０（ｂ）の状態まで移動する間は、ばね押圧部１６Ｅをばね２０の第１のアーム部２０Ｂの中間部に押圧され、図１０（ｂ）から図１０（ａ）までの間は、ばね当接部１６Ｃを第１のアーム部２０Ｂ先端の折曲部２０Ｃに押圧されて、図１０（ａ）の中立位置に復帰する。
【００５３】
また、これとは逆に、操作部１７Ａを図１０（ａ）の中立位置から左方向へスライド操作した場合には、摺動体１６の移動の途中までは、ばね当接部１６Ｂがばね１９の第１のアーム部１９Ｂ先端の折曲部１９Ｃを押圧し、その後は後端部のばね押圧部１６Ｄが第１のアーム部１９Ｂの中間部を押圧して、第１のアーム部１９Ｂを撓ませながら摺動体１６がスライド動作を行う。
【００５４】
このように本実施の形態によれば、摺動体１６の後端部にばね押圧部１６Ｄと１６Ｅを設けることによって、ばね１９，２０の第１のアーム部１９Ｂ，２０Ｂと摺動体１６との当接位置がスライド操作の途中で、第１のアーム部１９Ｂ，２０Ｂ先端の折曲部１９Ｃ，２０Ｃから中間部に変化するため、スライド操作時の操作力が途中で変化するスイッチの操作感触を得ることができる。
【００５５】
（実施の形態５）
図１１は本発明の第５の実施の形態によるプッシュ機構付スライドスイッチのカバーを除いた平面図、図１２は同分解斜視図であり、同図において、ケース１５内に摺動体２１がスライド可能に収納され、操作部２２Ａを有し下面に第２の接触片７を装着したロッド２２が、ロッド収納部２１Ａにプッシュ方向に移動可能に収納されていることは実施の形態２と同様であるが、略Ｌ字状のばね２３と２４の根元部２３Ａと２４Ａは、摺動体２１の上面両端部に設けた円柱状のばね保持部２１Ｂと２１Ｃに保持されている。
【００５６】
そして、ばね２３と２４の第１のアーム部２３Ｂと２４Ｂの先端部がケース１５の後側壁に設けたばね当接部１５Ｇと１５Ｈに当接すると共に、中間部が摺動体２１上面両端に設けたアーム受部２１Ｄと２１Ｅにも同時に当接し、第２のアーム部２３Ｃと２４Ｃがロッド２２のばね押圧部２２Ｂと２２Ｃに当接している。
【００５７】
上記構成において、ケース１５の開口部１５Ａから突出したロッド２２の操作部２２Ａを、図１１（ａ）の中立位置から図１１（ｂ）に示すように右方向へスライド操作すると、ロッド２２の移動に伴ってこの下面に装着された第２の接触片７が第１の固定接点上を弾接摺動し、第２の接触片７を介して第１の固定接点２Ｂと２Ｃが電気的に導通することは実施の形態２と同様であるが、この時ロッド２２を収納した摺動体２１の移動に伴って、ばね保持部２１Ｂに根元部２３Ａを保持されたばね２３の第１のアーム部２３Ｂの先端部がケース１５のばね当接部１５Ｇから離れ、中間部がアーム受部２１Ｄにのみ当接し、一方、先端部がばね当接部１５Ｈに当接したばね２４の第１のアーム部２４Ｂは中間部がアーム受部２１Ｅから離れて撓められていく。
【００５８】
そして、操作部２２Ａの操作力を解除すると、先端部がばね当接部１５Ｈに当接して撓められたばね２４の第１のアーム部２４Ｂの弾性復帰力によって、摺動体２１とこれに収納されたロッド２２が押し戻されて、図１１（ａ）の中立位置に復帰する。
【００５９】
これとは逆に、操作部２２Ａを図１１（ａ）の中立位置から左方向へスライド操作した場合には、ばね２４の第１のアーム部２４Ｂの先端部がばね当接部１５Ｈから離れて中間部がアーム受部２１Ｅにのみ当接し、ばね２３の第１のアーム部２３Ｂの中間部がアーム受部２１Ｄから離れ先端部がばね当接部１５Ｇに当接して撓められていき、操作部２２Ａの操作力を解除すると、先端部がばね当接部１５Ｇに当接して撓められたばね２３の第１のアーム部２３Ｂの弾性復帰力によって、摺動体２１とロッド２２が図１１（ａ）の中立位置に復帰する。
【００６０】
また、操作部２２Ａを図１１（ａ）の中立位置からプッシュ操作すると、図１１（ｃ）に示すように、ロッド２２のばね押圧部２２Ｂと２２Ｃがばね２３と２４の第２のアーム部２３Ｃと２４Ｃ先端を押圧し、第２のアーム部２３Ｃと２４Ｃを撓めながら、ロッド２２がロッド収納部２１Ａ内を後方へ移動するため、ロッド２２の下面に装着された第２の接触片７が第２の固定接点３Ａと３Ｂを電気的に導通させ、操作部２２Ａの操作力を解除すると、ばね２３と２４の第２のアーム部２３Ｃと２４Ｃの弾性復帰力によって、操作部２２Ａが図１１（ａ）の押圧前の中立位置に復帰する。
【００６１】
このように本実施の形態によれば、略Ｌ字状のばね２３と２４の根元部２３Ａと２４Ａを摺動体２１のばね保持部２１Ｂと２１Ｃに保持しているため、ケース１５の両端にばね保持部が不要となり、奥行き寸法を小さくしてスイッチ全体の小形化が図れると共に、ばね２３と２４を摺動体２１の上面に保持して部品をユニット化し、これを第１のアーム部２３Ｂと２４Ｂの先端部をばね当接部１５Ｇと１５Ｈに当接させてケース１５に組込むことができるため、ケース１５への二つのばね２３と２４や摺動体２１の組込み作業が容易となり、スイッチ組立て作業の簡易化を図ることができる。
【００６２】
（実施の形態６）
図１３は本発明の第６の実施の形態によるプッシュ機構付スライドスイッチのばねの平面図、図１４は同カバーを除いた平面図であり、同図において、ケース１５内に摺動体１６がスライド可能に収納され、操作部１７Ａを有したロッド１７が摺動体１６にプッシュ方向に移動可能に収納されていることは実施の形態２と同様であるが、ばね２５は略Ｌ字状の二つのばねの第２のアーム部先端どうしを連結した一体形状の略コの字状となっており、中央部にハーフカットされた細肉の連結部２５Ａが設けられている。
【００６３】
このプッシュ機構付スライドスイッチの組立て方法について説明すると、図１４（ａ）に示すように、ばね２５の根元部２５Ｂと２５Ｃをケース１５のばね保持部１５Ｂと１５Ｃに挿入保持し、摺動体１６やロッド１７を組込んだ後、ケース１５の開口部１５Ａから突出したロッド１７の操作部１７Ａをプッシュ操作すると、ロッド１７後端部の押圧部１７Ｂに当接した押圧体１８がばね２５の連結部２５Ａを押圧するため、ばね２５は中央部の連結部２５Ａから二つに分割され、図１４（ｂ）に示すように、第２のアーム部２５Ｄと２５Ｅの分割された先端が押圧体１８に当接してスイッチが完成する。
【００６４】
上記構成において、ケース１５の開口部１５Ａから突出したロッド１７の操作部１７Ａを、図１４（ｂ）の中立位置から左右方向にスライド操作或いはプッシシュ操作すると、摺動体１６や押圧体１８が第１のアーム部や第２のアーム部２５Ｄ，２５Ｅを撓ませながらケース１５内を移動し、ロッド１７下面に装着された第２の接触片７を介して固定接点の電気的接離が行われることは実施の形態２と同様である。
【００６５】
このように本実施の形態によれば、二つのばねの第２のアーム部２５Ｄと２５Ｅの先端どうしを連結した一体形状の略コの字状のばね２５をケース１５に組込んだ後、ロッド１７のプッシュ操作によってこれを略Ｌ字状の二つのばねに分割するように構成されているため、構成部品数を削減できると共に、スイッチ組立て時にばね２５を一つの部品として簡易に取扱えるため、組立て作業性の向上を図ることができる。
【００６６】
【発明の効果】
以上のように本発明によれば、ばねの使用数が少なくスイッチの組立て作業が容易で、安価なプッシュ機構付スライドスイッチを得ることができるという有利な効果が得られる。
【図面の簡単な説明】
【図１】本発明の第１の実施の形態によるプッシュ機構付スライドスイッチのカバーを除いた平面図
【図２】同分解斜視図
【図３】同操作状態を説明する平面図
【図４】同カバーの斜視図
【図５】本発明の第２の実施の形態によるプッシュ機構付スライドスイッチのカバーを除いた平面図
【図６】本発明の第３の実施の形態によるプッシュ機構付スライドスイッチのカバーとロッドの斜視図
【図７】同ロッドとケースの斜視図
【図８】同ロッドとケースの斜視図
【図９】本発明の第４の実施の形態によるプッシュ機構付スライドスイッチの摺動体の斜視図
【図１０】同カバーを除いた平面図
【図１１】本発明の第５の実施の形態によるプッシュ機構付スライドスイッチのカバーを除いた平面図
【図１２】同分解斜視図
【図１３】本発明の第６の実施の形態によるプッシュ機構付スライドスイッチのばねの平面図
【図１４】同カバーを除いた平面図
【図１５】従来のプッシュ機構付スライドスイッチの外観斜視図
【図１６】同カバーを除いた平面図
【図１７】同分解斜視図
【図１８】同カバーを除いた平面図
【符号の説明】
２Ａ，２Ｂ，２Ｃ  第１の固定接点
３Ａ，３Ｂ  第２の固定接点
６  第１の接触片
７  第２の接触片
１１  カバー
１１Ａ，１１Ｂ  アーム受部
１１Ｃ．１１Ｄ  ばね保持部
１１Ｅ  切欠き部
１５  ケース
１５Ａ  開口部
１５Ｂ，１５Ｃ  ばね保持部
１５Ｄ  収納溝
１５Ｅ  切欠き部
１５Ｆ  凹部
１５Ｇ，１５Ｈ  ばね当接部
１６，２１  摺動体
１６Ａ，２１Ａ  ロッド収納部
１６Ｂ，１６Ｃ  ばね当接部
１６Ｄ，１６Ｅ  ばね押圧部
１７，２２  ロッド
１７Ａ，２２Ａ  操作部
１７Ｂ  押圧部
１７Ｃ，１７Ｄ，１７Ｅ  突部
１８  押圧体
１８Ａ，１８Ｂ  ばね押圧部
１９，２０，２３，２４，２５  ばね
１９Ａ，２０Ａ，２３Ａ，２４Ａ，２５Ｂ，２５Ｃ  根元部
１９Ｂ，２０Ｂ，２３Ｂ，２４Ｂ  第１のアーム部
１９Ｃ  ２０Ｃ  折曲部
１９Ｄ，２０Ｄ，２３Ｃ，２４Ｃ，２５Ｄ，２５Ｅ  第２のアーム部
２１Ｂ，２１Ｃ  ばね保持部
２１Ｄ，２１Ｅ  アーム受部
２２Ｂ，２２Ｃ  ばね押圧部
【図１】
0003911774.tif 000002
【図２】
0003911774.tif 000003
【図３】
0003911774.tif 000004
【図４】
0003911774.tif 000005
【図５】
0003911774.tif 000006
【図６】
0003911774.tif 000007
【図７】
0003911774.tif 000008
【図８】
0003911774.tif 000009
【図９】
0003911774.tif 000010
【図１０】
0003911774.tif 000011
【図１１】
0003911774.tif 000012
【図１２】
0003911774.tif 000013
【図１３】
0003911774.tif 000014
【図１４】
0003911774.tif 000015
【図１５】
0003911774.tif 000016
【図１６】
0003911774.tif 000017
【図１７】
0003911774.tif 000018
【図１８】
0003911774.tif 000019